(57)【要約】【課題】地盤条件に左右されずに、ロープアンカーの耐力を向上できる、簡易なアンカー構造体を提供する。【解決手段】土砂や砂からなる地表面を有する斜面に沿って張設するロープ材の一端を固定するアンカー構造体であって、地中に定着するロープアンカーと、断面が円弧状のロープ案内面と、断面が直線状の定着面とを有する枕体と、前記枕体の定着面よりも面積の大きな有孔板と、からなり、前記ロープアンカーの地表に露出する部分と、前記枕体のロープ案内面とが接するように、前記枕体を配置し、前記枕体の定着面と、地表面との間に前記有孔板を配置し、地表に出た前記ロープアンカーを、前記枕体のロープ案内面に沿って張設し、前記ロープアンカーを、連結具を介して、前記ロープ材と連結したことを特徴とする、アンカー構造体。【選択図】図１
2008007969.tif 000002
【特許請求の範囲】
【請求項１】
土砂や砂からなる地表面を有する斜面に沿って張設するロープ材の一端を固定するアンカー構造体であって、
地中に定着するロープアンカーと、
断面が円弧状のロープ案内面と、断面が直線状の定着面とを有する枕体と、
前記枕体の定着面よりも面積の大きな有孔板と、からなり、
前記ロープアンカーの地表に露出する部分と、前記枕体のロープ案内面とが接するように、前記枕体を配置し、
前記枕体の定着面と、地表面との間に前記有孔板を配置し、
地表に出た前記ロープアンカーを、前記枕体のロープ案内面に沿って張設し、
前記ロープアンカーを、連結具を介して、前記ロープ材と連結したことを特徴とする、
アンカー構造体。
【請求項２】
請求項１に記載のアンカー構造体において、前記枕体は、半円柱状体であることを特徴とする、アンカー構造体。
【請求項３】
請求項１又は請求項２に記載のアンカー構造体において、前記有孔板は、複数の網体を重合して構成したことを特徴とする、アンカー構造体。
【請求項４】
岩盤からなる地表面を有する斜面に沿って張設するロープ材の一端を固定するアンカー構造体であって、
地中に定着するロープアンカーと、
断面が円弧状のロープ案内面と、断面が直線状の定着面とを有する枕体と、からなり、
前記ロープアンカーの地表面に露出する部分と、前記枕体のロープ案内面とが接するように、前記枕体の定着面を地表に定着させて前記枕体を配置し、
地表に出た前記ロープアンカーを、前記枕体のロープ案内面に沿って張設し、
前記ロープアンカーを、連結具を介して、前記ロープ材と連結したことを特徴とする、
アンカー構造体。
【請求項５】
請求項１乃至請求項４のいずれかに記載のアンカー構造体において、前記ロープ材の一端を直接地中に定着し、前記ロープアンカーを構成することを特徴とする、アンカー構造体。
【発明の詳細な説明】
【技術分野】
【０００１】
本発明は、斜面の巨石、巨岩の落下を防止するために、斜面に縦横方向に網状に張設されたロープ材や、落石防止のための金網とともに斜面に縦横方向に張設されたロープ材の、両端を固定するアンカー構造体に関する。
【背景技術】
【０００２】
従来、斜面の巨石、巨岩の落下を防止するために、斜面に沿って、縦横方向に網状にロープ材を張設して巨石、巨岩を拘束する工法が知られている。
また、崩落物防護ネットを斜面に敷設する際に、防護ネットとともに縦横のロープ材を張設する。
このように、斜面に沿って張設したロープ材の端部は、斜面に対してほぼ垂直に削孔したアンカー孔に挿入して固着し、ロープアンカーとして斜面に固定される。
【発明の開示】
【発明が解決しようとする課題】
【０００３】
図８のように、斜面５０に沿って張設したロープ材１１には、斜面５０と平行な方向に負荷がかかる。このため、以下のような問題がある。
＜１＞斜面５０が土砂等の表土層で覆われている場合、ロープアンカー１０の地表に露出する部分が表土層内にめり込んでしまい、アンカーの固定点が移動してしまう。その結果、張設したロープ材１１の反力が得られずに巨石や金網を拘束することができなくなってしまう。
＜２＞斜面５０が岩盤で覆われている場合、ロープアンカー１０の地表に露出する部分が、鋭角なアンカー孔５１の端部と接触し、ロープアンカー１０が破断してしまう可能性がある。
【０００４】
本発明は、地盤条件に左右されずに、ロープアンカーの耐力を向上できる、簡易なアンカー構造体を提供することを目的とする。
【課題を解決するための手段】
【０００５】
上記目的を達成するためになされた本願の第１発明は、土砂や砂からなる地表面を有する斜面に沿って張設するロープ材の一端を固定するアンカー構造体であって、地中に定着するロープアンカーと、断面が円弧状のロープ案内面と、断面が直線状の定着面とを有する枕体と、前記枕体の定着面よりも面積の大きな有孔板と、からなり、前記ロープアンカーの地表に露出する部分と、前記枕体のロープ案内面とが接するように、前記枕体を配置し、前記枕体の定着面と、地表面との間に前記有孔板を配置し、地表に出た前記ロープアンカーを、前記枕体のロープ案内面に沿って張設し、前記ロープアンカーを、連結具を介して、前記ロープ材と連結したことを特徴とする、アンカー構造体を提供することを目的とする。
本願の第２発明は、第１発明に記載のアンカー構造体において、前記枕体は、半円柱状体であることを特徴とする、アンカー構造体を提供することを目的とする。
本願の第３発明は、第１発明又は第２発明に記載のアンカー構造体において、前記有孔板は、複数の網体を重合して構成したことを特徴とする、アンカー構造体を提供することを目的とする。
本願の第４発明は、岩盤からなる地表面を有する斜面に沿って張設するロープ材の一端を固定するアンカー構造体であって、地中に定着するロープアンカーと、断面が円弧状のロープ案内面と、断面が直線状の定着面とを有する枕体と、からなり、前記ロープアンカーの地表面に露出する部分と、前記枕体のロープ案内面とが接するように、前記枕体の定着面を地表に定着させて前記枕体を配置し、地表に出た前記ロープアンカーを、前記枕体のロープ案内面に沿って張設し、前記ロープアンカーを、連結具を介して、前記ロープ材と連結したことを特徴とする、アンカー構造体を提供することを目的とする。
本願の第５発明は、第１発明乃至第４発明のいずれかに記載のアンカー構造体において、前記ロープ材の一端を直接地中に定着し、ロープアンカーを構成することを特徴とする、アンカー構造体を提供することを目的とする。
【発明の効果】
【０００６】
本発明は、上記した課題を解決するための手段により、次のような効果の少なくとも一つを得ることができる。
＜１＞ロープアンカーの地表露出部に枕体及び有孔板を配置するため、ロープアンカーが表土層内にめり込むのを防止できる。
＜２＞地表面が岩盤の斜面の場合、ロープアンカーの地表露出部に枕体を配置するため、鋭角なアンカー孔端部に接触するのを防止し、ロープアンカーが破断するのを防止できる。
＜３＞枕体は定着面を有するため、ロープ材を張設時に負荷がかかった際にも、枕体の転倒を防止できる。
＜４＞地表面に表土層がある場合には、有孔板の孔が表土を噛み込むことで、有孔板及び枕体の横滑りや、表土層内へのめり込みを防止できる。
【発明を実施するための最良の形態】
【０００７】
以下、図面を参照しながら本発明の実施の形態について説明する。
【０００８】
（１）アンカー構造体の構成
本発明に係るアンカー構造体は、図１に示すように、斜面５０に張設するロープ材１１と、斜面５０に削孔したアンカー孔５１に挿入し、定着して形成するロープアンカー１０、ロープアンカー１０の地表露出部に接して配置する枕体２０、枕体２０と斜面５０との間に配する有孔板３０、及びロープ材１１とロープアンカーとを連結する連結具４０、からなる。
以下、各構成部材について詳述する。
【０００９】
（２）ロープアンカー
ロープアンカー１０は、斜面５０の巨石、巨岩の落下を防止するために、斜面５０に沿って縦横方向に網状に張設するロープ材１１や、崩落物防護ネットを斜面５０に敷設する際に、防護ネットとともに縦横に張設するロープ材１１の端部と、連結具４０を介して接続し、斜面５０に定着するものである。
ロープアンカー１０は、斜面５０にほぼ垂直に削孔したアンカー孔５１に挿入して、グラウト５２により定着する。
ロープアンカー１０およびロープ材１１は、鋼線などのロープ体により構成する。
ロープアンカー１０は、図１に示すように、Ｕ型に形成しても良いし、Ｉ型に形成しても良い。
また、アンカー孔５１は、底部の孔壁を拡大して構成することもできる。
【００１０】
（３）枕体
枕体２０はロープアンカー１０の地表露出部分と接し、斜面５０とほぼ垂直に構成されるロープアンカー１０を、ロープ材１１を張設する斜面５０とほぼ水平な方向に誘導するための部材である。
枕体２０は、図１に示すように、ロープアンカー１０の地表露出部と接し、ロープアンカー１０を誘導するロープ案内面２１と、斜面５０と接する定着面２２とからなる。
枕体２０は、鋼管を半円柱形状に形成し、断面が円弧となる部分をロープ案内面２１、断面が直線となる部分を定着面２２として構成する。鋼管の中空部分には、モルタル等を充填して高強度に構成する。
【００１１】
（４）有孔板
有孔板３０は前記枕体２０と斜面５０との間に配置するものである。
有孔板３０は、図３に示すように、エキスパンドメタル等からなる網板３１を複数枚重合し、鋼製の枠体３２で挟み込み、ボルト３３及びナット３４により固定して構成する。
この際、各網板３１は網目方向をずらして重合することにより、有孔板３０の強度を増すことができる。
有孔板３０は、枕体２０を上面に乗せることができるように、枕体２０の定着面２２よりも大きく構成する。
【００１２】
（５）連結具
連結具４０は、ロープアンカー１０と、ロープ材１１を連結するための部材である。
連結具４０は、図４に示すように、Ｕ状のＵボルト４１と、連結材４２と、Ｕボルト４１と連結材４２とを係止するナット４３とからなる。
【００１３】
［アンカー構造体の構築］
次に、前記部材を使用してのアンカー構造体の構築について説明する。
【００１４】
ロープアンカー１０を定着する斜面５０に、ボーリングマシン等により、アンカー孔５１を削孔する。次にアンカー孔５１に、ロープアンカー１０を挿入し、グラウト５２を注入して定着し、ロープアンカー１０を構築する。
【００１５】
次に、ロープアンカー１０の地表露出部に枕体２０と有孔板３０を設置する。
まず、有孔板３０を、ロープアンカー１０の地表露出部の、ロープ材１１を引張する方向の斜面５０に配置する。斜面５０の傾斜角により、有孔板３０が移動してしまう場合には、固定ピン等により、有孔板３０を固定する。
枕体２０は、定着面２２が有孔板３０と接するように、斜面５０に配置した有孔板３０上に配置する。
枕体２０は、ロープ材１１を張設した際に、ロープアンカー１０が、アンカー孔１４及び有孔板３０と接触しないように、有孔板３０上の、アンカー孔５１寄りの端部付近に配置する。
斜面５０の傾斜角により、枕体２０が移動してしまう場合には、固定ピン２３により係止する。
次に、斜面５０とほぼ垂直の方向にあるロープアンカー１０を、枕体２０のロープ案内面２１に当接させて、斜面５０とほぼ水平の方向に誘導する。
【００１６】
斜面５０とほぼ水平の方向に誘導したロープアンカー１０の端部に係止したＵボルト４１と、ロープ材１１の端部に係止した連結材４２とを掛合し、ナット４３をＵボルト４１に螺着して連結具４０を構成し、ロープ材１１を斜面５０に張設する。
ナット４３の締付位置により、ロープ材１１にかかる張力を調節することができる。
【００１７】
［作用］
ロープ材１１を張設することにより、枕体２０の接点には力が働く。
枕体２０の定着面２２は断面が直線状に形成されているため、力が作用しても転倒することなく、有孔板３０に力を伝達する。
有孔板３０は枕体２０の定着面２２よりも大きく構成してあるため、枕体２０の斜面５０と垂直方向にかかる力は有孔板３０により分散される。よって、枕体２０の斜面５０表土層内部への沈み込みを防止することができる。
これにより、ロープアンカー１０の表土層内への沈み込みを防止することができる。
【００１８】
ロープ材１１を張設した際に、枕体２０を通じて有孔板３０に力が働き、図５に示すように、有孔板３０が斜面５０に押し付けられることで、孔部３５で表土を噛み込む。
孔３１にて噛み込んだ表土が抵抗となり、有孔板３０の横滑りを防止することができる。
【００１９】
また、有孔板３０は網板を重合して構成しているため、枕体２０に力が作用すると、有孔板３０がたわみ、枕体２０が沈み込む。これにより、固定ピン２１がない場合でも、枕体２０の横滑りを防止することができる。
【００２０】
［その他実施例］
斜面５０の表面が岩盤からなる場合には、枕体２０の沈み込みがないため、図６に示すように、有孔板３０を用いずにアンカー構造体を構築することができる。
枕体２０の定着面２２は、断面が直線状であるため、転倒することはない。
また、ロープアンカー１０は、枕体２０のロープ案内面で緩やかに案内されるため、ロープアンカー１０の破断を防止することができる。
【００２１】
また、図７に示すように、斜面５０に張設するロープ材１１の端部を、直接アンカー孔５１に挿入して、ロープアンカー１０と一体に構成することもできる。
この際には、連結具４０による連結作業が不要となる。
【図面の簡単な説明】
【００２２】
【図１】本発明にかかるアンカー構造体の説明図
【図２】本発明にかかる枕体及び有孔板の斜視図
【図３】本発明にかかる有孔板の斜視図
【図４】本発明にかかる連結具の斜視図
【図５】本発明にかかるアンカー構造体の断面図
【図６】本発明のその他実施例の説明図
【図７】本発明のその他実施例の説明図
【図８】従来のアンカー構造体の実施例の説明図
【符号の説明】
【００２３】
１０  ロープアンカー
１１  ロープ材
２０  枕体
２１  ロープ案内面
２２  定着面
２３  固定ピン
３０  有孔板
３１  網板
３２  枠体
３３  ボルト
３４  ナット
３５  孔部
４０  連結具
４１  Ｕボルト
４２  連結材
４３  ナット
５０  斜面
５１  アンカー孔
５２  グラウト
【図１】
2008007969.tif 000003
【図２】
2008007969.tif 000004
【図３】
2008007969.tif 000005
【図４】
2008007969.tif 000006
【図５】
2008007969.tif 000007
【図６】
2008007969.tif 000008
【図７】
2008007969.tif 000009
【図８】
2008007969.tif 000010